(57)【特許請求の範囲】
【請求項１】
基材と、前記基材上に形成された、反射性金属薄膜層と所定の情報を表示するホログラムあるいは回折格子からなる光回折パターン情報層とを備える偽造防止媒体において、前記光回折パターン層の前面に角度選択性を有する光拡散層を配置したことを特徴とする偽造防止媒体。
【請求項２】
前記角度選択性を有する光拡散層が、複写物であるという明確な情報を含んだ光拡散層であるということを特徴とする請求項１記載の偽造防止媒体。
【請求項３】
前記角度選択性を有する光拡散層は、ホログラム撮影記録されてなることを特徴とする請求項１〜２に記載の何れかの偽造防止媒体。
【請求項４】
前記角度選択性を有する光拡散層が、体積位相透過型ホログラムであることを特徴とする請求項１〜３に記載の何れかの偽造防止媒体。
【請求項５】
前記角度選択性を有する光拡散層が、表面レリーフホログラムであることを特徴とする請求項１〜３に記載の何れかの偽造防止媒体。
【発明の詳細な説明】
【０００１】
【発明の属する技術分野】
本発明は、金券、有価証券などに、複写による偽造を防止する偽造防止媒体に関する。
【０００２】
【従来の技術】
従来より、複写装置の性能の向上に伴い、金券，有価証券などの複写物による不正使用（偽造）が増加してきており、その対策が望まれている。複写物であることが判別できるようにする対策として、ホログラムや回折格子を用いた複写防止に係る提案として、特開平１０−２７８４６２号公報が公知である。
【０００３】
上記公報により開示された提案は、基材の印刷層面にホログラム層を部分的に形成することにより、複写装置により複写してもホログラム層が再現不可能なため、偽造できないようにしている。
【０００４】
【発明が解決しようとする課題】
しかし、上記の提案は、複写装置によって複写された複写物にはホログラム層からの回折光が複写され、ホログラム層の何らかの情報が複写されるので、明白に複写物であると判断できないという問題点があった。
【０００５】
これに対して、本発明では、基材表面に偽造防止媒体として、反射性金属薄膜層を有した所定の情報を表示するホログラムあるいは回折格子からなる光回折パターン情報層を形成する場合に、光回折パターン情報層の表面に適用するだけで、複写装置により複写を行なっても、複写物からは光回折パターン情報層による情報を完全には再現されないような偽造防止媒体として提供することを目的とする。
特に、ホログラム自体の存在を知らない人でも複写物であることが確実に判別できるような複写防止媒体を提供することを目的とする。
【０００６】
【課題を解決するための手段】
前記課題を解決するために、請求項１記載の発明は、
基材と、基材上に形成された、反射性金属薄膜層と所定の情報を表示するホログラムあるいは回折格子からなる光回折パターン情報層とを備える偽造防止媒体において、前記光回折パターン層の前面に角度選択性を有する光拡散層を配置したことを特徴とする偽造防止媒体である。
【０００７】
請求項２記載の発明は、
請求項１記載の偽造防止媒体において、前記角度選択性を有した光拡散層が、複写物であるという明確な情報を含んだ光拡散層であるということを特徴とする。
【０００８】
請求項３記載の発明は、
請求項１〜２に記載の何れかの偽造防止媒体において、前記角度選択性を有する光拡散層は、ホログラム撮影記録されてなることを特徴とする。
【０００９】
請求項４記載の発明は、
請求項１〜３に記載の何れかの偽造防止媒体において、前記角度選択性を有する光拡散層が、体積位相透過型ホログラムであることを特徴とする。
【００１０】
請求項５記載の発明は、
請求項１〜３に記載の何れかの偽造防止媒体において、前記角度選択性を有する光拡散層が、表面レリーフホログラムであることを特徴とする。
【００１１】
＜作用＞
本発明による偽造防止媒体は、図1に示すように、反射性金属薄膜層３を有した所定の情報を表示するホログラムあるいは回折格子からなる光回折パターン情報層４の前面に、角度選択性を有した光拡散層５を配置することにより、偽造防止媒体９の前面より光拡散層５を透過して入射する光は透明シートを透過するように拡散せずに透過して反射性金属薄膜層３に達し、反射性金属薄膜層３で反射されて光拡散層５を透過して前面に出射する光は、光透過性の光拡散シートを透過する時のような光拡散を生じる。ある所定の入射角度で入射した光は、光回折パターン情報層４からの情報を表示する領域Ａ６と拡散光を出射する領域Ｂ７に分割して光が出射されるため、光回折パターン情報層４からの情報を視覚することを困難にすることがない。また、領域Ａ６と領域Ｂ７をほぼ連続的に分割することにより、光回折パターン情報と拡散光が各領域の境界で大きく変化するように視覚されるので、偽造品でないという判別がしやすい。（請求項1）
【００１２】
図２に、一般的な複写装置の光源から感光ドラムまでの要部の光学系を示す。光源２１から発した光は、オリジナル台２０の複写原稿を照明し、原稿からの反射光は全速ミラー２２を経由して半速ミラー２３へと導かれる。全速ミラー２２は光源２１とともに移動し、半速ミラー２３は全速ミラー２２と光源２１の移動速度の半分の速度で移動する。半速ミラー２３に入射した光は、ミラーレンズ２４とミラー２５により感光ドラム２６へ結像される。
光源から入射する光が、光拡散層に垂直な方向（複写装置光軸）に拡散光を出射するため、複写装置で複写をした場合、偽造防止媒体が白色に発色され、観察者は複写物に空白があるように視覚される。また、光回折パターン情報層の前面に、複写物であるという明確な情報を含んだ形状の光拡散層を配置することにより、複写装置で複写をした場合、その形状が偽造防止媒体上に白色で発色されるので、観察者には明らかに複写物であるという事が認識でき、より高い偽造防止効果が得られる。（請求項１、２）
【００１３】
光拡散層が、ホログラムである場合には、その撮影条件に応じて、異方性を持つ光拡散機能を付与することが可能であり、回折光が拡散出射する範囲（方向）を縦と横のそれぞれの方向に対して任意に制御することも可能である。（請求項３）
【００１４】
光拡散層が、体積位相透過型ホログラムである場合には、光拡散層への入射光は透過して、出射する表示光はホログラムで回折して拡散させるような異方性を持たせることができると共に、ホログラムが持つ角度選択性により、特定の入射角度での入射光のみを回折させることも可能である。（請求項４）
【００１５】
光拡散層が、角度選択性を持つ表面レリーフホログラムである場合には、マスターホログラムからおこしたスタンパでの熱可塑性樹脂へのエンボス複製により、低コストで光拡散層が量産される。（請求項５）
【００１６】
【発明の実施の形態】
以下、図面を参照して本発明の実施形態を詳細に説明する。
図３および図４は、図１に示した光拡散層をホログラム記録により作製する光学系の一例を示した図である。
【００１７】
光拡散層への入射光の光軸に対して、光拡散層からの出射光（拡散光）の光軸がずれるものは、図３に示すように１つのレーザー光源３０から出射されたレーザービームをビームスプリッタ３１により２つに分け、一方をすりガラスなどの拡散板３２を照明した拡散光３３である物体光とし、他方を球面波や平面波である参照光３４として、その２つの光波の干渉縞をまずホログラム用感光材料３５に記録し、現像漂白処理することにより作成することができる。
【００１８】
また、光拡散層への入射光の光軸と光拡散層からの出射光（拡散光）の光軸が同じであるものは、図４に示すように、図３のように作成したマスターホログラム４２を再生して拡散板の像をホログラム用感光材料４５上に結像し、また再生光４３の光軸と参照光４３の光軸を一致させた参照光４３でホログラム用感光材料４５を照明して、再度ホログラフィックな撮影記録を行い、それを現像漂白処理することにより作成することができる。
【００１９】
なお、光拡散層に複写物であるという情報を含ませるには、その情報を含んだマスク板を図３および図４のホログラム感光材料３５、４５の前に配置して、上述と同様のホログラム記録を行うことにより作成することができる。
【００２０】
図３および図４の光学系を用いた上記のようなホログラム記録方法により、光拡散層を作成することができ、光回折パターン情報層の前面に配置して使用される。
【００２１】
光拡散性層の作製に使用するアルゴンイオンレーザは、５１４．５ｎｍの波長のレーザ光（緑色）、４８８ｎｍのレーザー光（青緑色）又は波長４５７．９ｎｍの波長のレーザ光（青色）を用いることができる。またアルゴンイオンレーザー以外でもコヒーレント性の良いレーザー光源であれば作製可能で、例えばヘリウムネオンレーザーやクリプトンイオンレーザーなどが使用できる。
【００２２】
また、被写体の拡散板３２としては、例えば、すりガラスを用い、ホログラム用感光材料３５、４５としては、例えばアグファゲバルト社製の緑用、青用のホログラム用銀塩感光材料を用いることができる。
【００２３】
本発明の一実施例では、ホログラム記録方法により１０００番のすりガラスをアルゴンレーザーの５１４．５ｎｍの発振光を用いて、アグファゲバルト社製８Ｅ５６ホログラム用銀塩感光材料に記録した後、現像にはＣＷＣ２現像液を用い、漂白にはＰＢＱ２漂白液を用いて現像、漂白、水洗、乾燥を行なったものを、金属が蒸着された熱可塑性樹脂シートへのエンボス法で複製したエンボスホログラムに図１のような構成にて実施した。
【００２４】
また、請求項４に記載の体積位相型ホログラムの場合は上記の銀塩感光材料や重クロム酸ゼラチン、フォトポリマー等を使用して作製される。
請求項５に記載の表面レリーフホログラムの場合は、図３におけるホログラム用感光材料４５にフォトレジストを使用して作製、あるいはそれを原版（スタンパ）として熱可塑性樹脂シートへのエンボス法などで複製したエンボスホログラムを使用することができる。
【００２５】
【発明の効果】
以上のように、基材とその上に形成された、反射性金属薄膜層を有した所定の情報を表示するホログラムあるいは回折格子からなる光回折パターン情報層とを備える偽造防止媒体において、前記光回折パターン層の前面に角度選択性を有した光拡散層を配置したことにより、複写による偽造が妨げられることになる。
特に、複写物の偽造防止媒体部分には、空白あるいは明らかに偽造である情報の画像が複写されるので、ホログラムや回折格子からなる光回折パターン情報の存在を知らない人でも、複写物に対して違和感を持って視覚されるため、複写物であることが判別できるような偽造防止媒体が提供される。
なお、偽造防止が必要な物品としては、カード、プリペイドカード、商品券、トラベラーズチェック、通帳、切符、入場券、名刺などの信用が求められるもの全てに適用でき、紙、樹脂、金属材など材質を問うものではない。
【００２６】
【図面の簡単な説明】
【図１】本発明の偽造防止媒体を概念的に示す説明図。
【図２】複写装置の要部の光学系を概略的に示す説明図。
【図３】光拡散層をホログラム記録により作製する光学系（１ステップ目）の一例を示す説明図。
【図４】光拡散層をホログラム記録により作製する光学系（２ステップ目）の一例を示す説明図。
【符号の説明】
１…基材
２…入射光
３…反射性金属薄膜層
４…光回折パターン情報層
５…光拡散層
６…領域Ａ
７…領域Ｂ
８…観察者
９…偽造防止媒体
２０…オリジナル台
２１…光源
２２…全速ミラー
２３…半速ミラー
２４…ミラーレンズ
２５…ミラー
２６…感光ドラム
３０…レーザー光源
３１…ビームスプリッタ
３２…拡散板
３３…拡散光
３４…参照光
３５…ホログラム用感光材料
３６ａ，３６ｂ，３６ｃ，４６ａ，４６ｂ，４６ｃ…反射鏡
３7 ａ，３７ｂ，４7 ａ，４７ｂ…空間フィルタ
３8 ａ，３８ｂ，４8 ａ，４８ｂ…レンズ
４０…レーザー光源
４１…ビームスプリッタ
４２…マスターホログラム
４３…回折光
４４…参照光
４５…ホログラム用感光材料
【図１】
0004258055.tif 000002
【図２】
0004258055.tif 000003
【図３】
0004258055.tif 000004
【図４】
0004258055.tif 000005